(57)【要約】【目的】ぐらつきが生じ難い安定した補強が可能であり、取り付け及び緊締作業が極めて容易な吊り金具用補強金具を提供する。【構成】Ｌ型鋼に取り付けられる吊り金具の取付固定を補強する吊り金具用補強金具において、  補強金具が、前記Ｌ型鋼の水平フランジの下面に添う横辺部材と前記Ｌ型鋼の垂直フランジの外側面に添う縦辺部材とから成る略Ｌ字形を有し、  前記横辺部材の先端に形成され、前記吊り金具の２枚の水平抑え板部の内奥縁部に掛止する吊り金具掛止部と、  前記縦辺部材に形成された雌ネジ孔と、  該雌ネジ孔に螺合され、先端が前記垂直フランジの外側面に当接する垂直フランジ固定ボルトと、  前記縦辺部材の先端に形成され、前記垂直フランジ上端に掛止する垂直フランジ掛止部と、を有して構成されることを特徴とする吊り金具用補強金具である。【選択図】        図１
2008014329.tif 000002
【特許請求の範囲】
【請求項１】
Ｌ型鋼の水平フランジの下面に当接して係止する２枚の水平抑え板部を有する略コ字状の開口部と、該開口部内の水平フランジを上から締め付け固定する水平フランジ固定ボルトとの挟着によって前記Ｌ型鋼に取り付けられる吊り金具の取付固定を補強する吊り金具用補強金具において、
補強金具が、前記Ｌ型鋼の水平フランジの下面に添う横辺部材と前記Ｌ型鋼の垂直フランジの外側面に添う縦辺部材とから成る略Ｌ字形を有し、
前記横辺部材の先端に形成され、前記吊り金具の２枚の水平抑え板部の内奥縁部に掛止する吊り金具掛止部と、
前記縦辺部材に形成された雌ネジ孔と、
該雌ネジ孔に螺合され、先端が前記垂直フランジの外側面に当接する垂直フランジ固定ボルトと、
前記縦辺部材の先端に形成され、前記垂直フランジ上端に掛止する垂直フランジ掛止部と、
を有して構成されることを特徴とする吊り金具用補強金具。
【請求項２】
前記横辺部材が、前記吊り金具の２枚の水平抑え板部の間に入り込む幅に形成された構成であることを特徴とする請求項１に記載の吊り金具用補強金具。
【請求項３】
前記縦辺部材の雌ネジ孔がバーリングタップ加工されて形成された構成であることを特徴とする請求項１又は２に記載の吊金具用補強金具。
【発明の詳細な説明】
【技術分野】
【０００１】
本発明は吊り金具用補強金具に関し、詳しくはＬ型鋼（山型鋼）の水平フランジに取り付けられる吊り金具の取付固定を補強する吊り金具用補強金具に関する。
【背景技術】
【０００２】
吊り金具は、天井等から梁状に延びているＬ型鋼から該Ｌ型鋼の水平フランジに穴を開けることなく吊りボルトを下げる場合に用いられている。
【０００３】
Ｌ型鋼への吊り金具の取付けは、該Ｌ型鋼の水平フランジに対して横方向から差し込まれた後に該水平フランジを上下から挟着握持することで固定することで行われている。
【０００４】
しかし、このような取付構成を有する吊り金具は、横方向に荷重が作用した場合に脱落し易いという特有の問題点を有している。
【０００５】
このため、特許文献１等に記載されている補強金具によって取付固定を補強することが提案されている。
【０００６】
【特許文献１】特許第３７４３９０６号
【発明の開示】
【発明が解決しようとする課題】
【０００７】
特許文献１に記載の技術は、Ｌ型鋼の垂直フランジに引っ掛かる折曲端を有する固定板と該固定板と吊り金具とを連結するＵ字状ボルトからなる補強金具を取付けることで吊り金具の固定の補強を行っている。
【０００８】
しかしこの技術では、補強金具の取り付け及び緊締をＵ字状ボルトの２本の先端に螺合した２個のナットで行わなければならないため、該２個のナットをバランスよく偏ることなく緊締するには緊締具合を見ながら交互に少しずつ緊締しなければならず、作業が煩雑であり、作業性が低いという問題点を有している。
【０００９】
そこで本発明の課題は、ぐらつきが生じ難い安定した補強が可能であり、取り付け及び緊締作業が極めて容易な吊り金具用補強金具を提供することにある。
【課題を解決するための手段】
【００１０】
上記課題を解決する本発明は下記構成を有する。
【００１１】
１．Ｌ型鋼の水平フランジの下面に当接して係止する２枚の水平抑え板部を有する略コ字状の開口部と、該開口部内の水平フランジを上から締め付け固定する水平フランジ固定ボルトとの挟着によって前記Ｌ型鋼に取り付けられる吊り金具の取付固定を補強する吊り金具用補強金具において、
補強金具が、前記Ｌ型鋼の水平フランジの下面に添う横辺部材と前記Ｌ型鋼の垂直フランジの外側面に添う縦辺部材とから成る略Ｌ字形を有し、
前記横辺部材の先端に形成され、前記吊り金具の２枚の水平抑え板部の内奥縁部に掛止する吊り金具掛止部と、
前記縦辺部材に形成された雌ネジ孔と、
該雌ネジ孔に螺合され、先端が前記垂直フランジの外側面に当接する垂直フランジ固定ボルトと、
前記縦辺部材の先端に形成され、前記垂直フランジ上端に掛止する垂直フランジ掛止部と、
を有して構成されることを特徴とする吊り金具用補強金具。
【００１２】
２．前記横辺部材が、前記吊り金具の２枚の水平抑え板部の間に入り込む幅に形成された構成であることを特徴とする上記１に記載の吊り金具用補強金具。
【００１３】
３．前記縦辺部材の雌ネジ孔がバーリングタップ加工されて形成された構成であることを特徴とする上記１又は２に記載の吊金具用補強金具。
【発明の効果】
【００１４】
請求項１に示す発明によれば、ぐらつきが生じ難い安定した補強が可能であり、取り付け及び緊締作業が極めて容易な吊り金具用補強金具を提供することができる。
【００１５】
即ち、補強金具の縦辺部材の先端の垂直フランジ掛止部をＬ型鋼の垂直フランジ上端に掛止し、横辺部材の吊り金具掛止部が吊り金具の２枚の水平抑え板部の内奥縁部に掛止するように該吊り金具をＬ型鋼の水平フランジに取り付けた状態で、縦辺部材に螺合する垂直フランジ固定ボルトを緊締することで、水平フランジ固定ボルトと２枚の水平抑え板部との挟着による吊り金具の取付固定を補強することが可能となる。
【００１６】
請求項２に示す発明によれば、補強金具の横辺部材が吊り金具の２枚の水平抑え板部の間に入り込むことで、吊り金具のＬ型鋼の軸方向へのズレも抑制することが可能となる。
【００１７】
請求項３に示す発明によれば、ナット等の雌ネジが形成された他の部材を固着することなく垂直フランジ固定ボルトの螺合及び該垂直フランジ固定ボルトによる緊締が可能となる。
【発明を実施するための最良の形態】
【００１８】
本発明に係る吊り金具用補強金具の詳細について、添付の図面に基づき説明する。
【００１９】
図１は本発明に係る吊り金具用補強金具の一実施例を示す斜視図、図２は図１の吊り金具用補強金具の使用例の一例を示す正面図、図３は図２のＩＩＩ−ＩＩＩ線断面図、図４は本発明に係る吊り金具用補強金具の他の実施例を示す斜視図である。但し、図３では、吊り金具に対する補強金具の位置関係を明瞭化するためにＬ型鋼を一点鎖線で示す透視図として表す。
【００２０】
本発明に係る吊り金具用補強金具（以下、単に補強金具ということもある。）１は、図２及び図３に示す吊り金具３のＬ型鋼２に対する取付固定を補強するものである。
【００２１】
吊り金具３は、Ｌ型鋼２の水平フランジ２１の下面に当接して係止する２枚の水平抑え板部３１・３１を有する略コ字状の開口部３２と、該開口部３２内の水平フランジ２１を上から締め付け固定する水平フランジ固定ボルト３３との挟着によって前記Ｌ型鋼２に取り付けられるものである。
【００２２】
上記吊り金具３の取付固定を補強する補強金具１は、前記Ｌ型鋼２の水平フランジ２１の下面に添う横辺部材１１と垂直フランジ２２の外側面に添う縦辺部材１２とから成る略Ｌ字形を有している。横辺部材１１の先端には、前記吊り金具３の２枚の水平抑え板部３１・３１の内奥縁部３４・３４に掛止する吊り金具掛止部１３が形成されている。縦辺部材１２には雌ネジ孔１４が形成されており、該雌ネジ孔１４には、先端が前記垂直フランジ２２の外側面に当接する垂直フランジ固定ボルト１５が螺合されている。縦辺部材１２の先端には、前記垂直フランジ２２の上端に掛止する垂直フランジ掛止部１６が形成されている。
【００２３】
横辺部材１１は、吊り金具３の２枚の水平抑え板部３１・３１の間に入り込む幅に形成されることが好ましく、また、図３に示すように、２枚の水平抑え板部３１・３１の間隔と横辺部材１１の幅を略一致させることがより好ましい。２枚の水平抑え板部３１・３１の間隔と横辺部材１１の幅を略一致させることにより、吊り金具３と補強金具１とのズレやガタツキを抑制し、補強金具１による吊り金具３のＬ型鋼２への取付固定をより安定化させることができる。
【００２４】
横辺部材１１の先端に形成される吊り金具掛止部１３は、図１〜図３に示すように横辺部材１３を平面視した際に先端がＴ字状を成すように形成され、更に該Ｔ字の横棒部分の両端を下方に折り曲げ形成することで、吊り金具３の２枚の水平抑え板部３１の内奥縁部３４に掛止する構成となっている。尚、該吊り金具掛止部１３は、図１〜図３に示す形状に限定されず、図４に示すように、平面視した際に横辺部材１３の先端がＴ字状を成すのみで、該Ｔ字の横棒部分の両端を折り曲げない構成であってもよい。この図４に示す態様であっても、吊り金具掛止部１３である横辺部材１３先端のＴ字状の横棒部分の両端を吊り金具３の２枚の水平抑え板部３１の内奥縁部３４に掛止することができる。
【００２５】
縦辺部材１２に形成される雌ネジ孔１４は、バーリングタップ加工されて形成されていることが好ましいが、ナット等の雌ネジが形成された他の部材を固着することで雌ネジ孔１４を形成することもできる。
【００２６】
雌ネジ孔１４に螺合される垂直フランジ固定ボルト１５は、配管支持具類に用いられる公知公用のボルトや蝶ネジ等を特別の制限なく用いることができる。
【００２７】
縦辺部材１２の先端に形成される垂直フランジ掛止部１６は、Ｌ型鋼２の垂直フランジ２２の上端に掛止可能であれば、図示の逆レ字状に限定されず、逆Ｊ字状に形成されていてもよい。
【００２８】
補強金具１は、吊り金具と同種のステンレスや鉄等の金属素材から形成されることが好ましい。
【００２９】
以上の構成を有する補強金具１を、Ｌ型鋼２の水平フランジ２１に取付固定する吊り金具３に取り付ける方法について以下説明する。
【００３０】
先ず、Ｌ型鋼２に吊り金具３を取り付ける前に、補強金具１を該Ｌ型鋼２に取付ける。取付け方法としては、補強金具１の垂直フランジ掛止部１６をＬ型鋼１の垂直フランジ２２の上端に掛止させる。このとき、縦辺部材１４の雌ネジ孔１４に螺合する垂直フランジ固定ボルト１５の緊締は緩めておくことが好ましい。
【００３１】
次に、吊り金具３の２枚の水平抑え板部３１・３１の内奥縁部３４・３４に補強金具１の吊り金具掛止部１３が掛止するように吊り金具３をＬ型鋼２の水平フランジ２１に取り付ける。
【００３２】
吊り金具３の水平フランジ固定ボルト３３を緊締して該吊り金具３をＬ型鋼２に取付固定した後、補強金具１の垂直フランジ固定ボルト１５を緊締する。この垂直フランジ固定ボルト１５の緊締により、吊り金具３のＬ型鋼２への取付固定を補強することが可能となる。
【図面の簡単な説明】
【００３３】
【図１】本発明に係る吊り金具用補強金具の一実施例を示す斜視図
【図２】図１の吊り金具用補強金具の使用例の一例を示す正面図
【図３】図２のＩＩＩ−ＩＩＩ線断面図（但し、吊り金具に対する補強金具の位置関係を明瞭化するためにＬ型鋼を一点鎖線で示す透視図として表す。）
【図４】本発明に係る吊り金具用補強金具の他の実施例を示す斜視図
【符号の説明】
【００３４】
１  吊り金具用補強金具
１１  横辺部材
１２  縦辺部材
１３  吊り金具掛止部
１４  雌ネジ孔
１５  垂直フランジ固定ボルト
１６  垂直フランジ掛止部
２  Ｌ型鋼
２１  水平フランジ
２２  垂直フランジ
３  吊り金具
３１  水平抑え板部
３２  略コ字状の開口部
３３  水平フランジ固定ボルト
３４  内奥縁部
【図１】
2008014329.tif 000003
【図２】
2008014329.tif 000004
【図３】
2008014329.tif 000005
【図４】
2008014329.tif 000006